(57)【要約】【課題】１丁の玩具銃でカートリッジ仕様のマガジンとケースレス仕様のマガジンとを交換可能な構造とすることにより、１丁の玩具銃でカートリッジ仕様とケースレス仕様の双方を楽しむことができるブローバック玩具銃を提供する。【解決手段】銃本体１に設けられたマガジン室７に着脱自在に装填するマガジンをカートリッジ仕様とケースレス仕様とに構成し、カートリッジ仕様のマガジンＣＭは弾丸ＢをカートリッジＣに装填した状態で収納する弾倉８を備え、ケースレス仕様のマガジンＢＭは弾丸Ｂをそのままの状態で収納する弾倉８を備え、夫々のマガジンのガス蓄圧室４に通じるガス流出口９がシリンダ５のガス流入口６に連通する同一の位置に設けられたことにより、いずれのマガジンを銃本体１のマガジン室７に装着した場合でも、各マガジンのガス蓄圧室４に収容した圧縮ガスをガス流出口９からガス流入口６を経て薬室３へ送給可能とした。【選択図】図１
2010133654.tif 000002
【特許請求の範囲】
【請求項１】
銃本体に設けられたスライドを前後動することによって薬室に送り込まれた弾丸を銃本体に装着されたマガジンのガス蓄圧室からシリンダのガス流入口を経て薬室に送給された圧縮ガスにより発射するブローバック玩具銃において、
銃本体に設けられたマガジン室に着脱自在に装填するマガジンをカートリッジ仕様とケースレス仕様とに構成し、
カートリッジ仕様のマガジンは弾丸をカートリッジに装填した状態で収納する弾倉を備え、
ケースレス仕様のマガジンは弾丸をそのままの状態で収納する弾倉を備え、
夫々のマガジンのガス蓄圧室に通じるガス流出口がシリンダのガス流入口に連通する同一の位置に設けられたことにより、
いずれのマガジンを銃本体のマガジン室に装填した場合でも、各マガジンのガス蓄圧室に収容した圧縮ガスをガス流出口からシリンダのガス流入口を経て薬室へ送給可能としたことを特徴とするブローバック玩具銃。
【請求項２】
シリンダのガス通路先端部にノズルを着脱自在に取付けることによって、該ノズルの先端に当接させた弾丸を薬室に送り込むようにしたことを特徴とする請求項１記載のブローバック玩具銃。
【請求項３】
インナーバレルの後端外周に発射前の弾丸を保持するゴム管を接続したことを特徴とする請求項１又は２記載のブローバック玩具銃。
【請求項４】
シリンダ及びシリンダのガス通路先端部に取付けるノズルは、ナイロン樹脂で形成したことを特徴とする請求項１、２又は３記載のブローバック玩具銃。
【発明の詳細な説明】
【技術分野】
【０００１】
本発明は、スライドが前後動することによって弾丸を自動的に薬室に送り込むことができるブローバック玩具銃に関する。
【背景技術】
【０００２】
従来から、プラスチック製弾丸（いわゆる「ＢＢ弾」）をガス圧によって発射するガス式玩具銃が知られている。このような玩具銃は、スライドが前後動することによって弾丸を自動的に薬室に送り込むことができるブローバック式の玩具銃として改良が加えられている。
【０００３】
さらに、このようなブローバック玩具銃には、弾丸をそのまま薬室に装填した状態で発射するケースレス仕様と云われるものと、弾丸を装填したカートリッジを薬室に送り込んだ状態で弾丸を発射するようにしたカートリッジ仕様と云われるものが存在する。
【０００４】
ケースレス仕様の玩具銃の従来例としては、特許文献１に記載されたものがある。この文献のブローバック玩具銃は、銃本体に設けられた蓄圧部に並列して弾丸を一列縦方向に装填する弾丸装填部が設けられ、蓄圧部から噴出したガスによりスライドを銃身の後方へ移動するブローバック構造を有するものである。
【０００５】
また、カートリッジ仕様の玩具銃の従来例としては、特許文献２に記載されたものがある。この文献には、実弾に似せた外観を有する筒状のカートリッジの先端部に弾丸を分離可能に保持し、カートリッジの後端部から先端部に到る圧縮空気の通路を備えた構成を有し、銃本体のグリップ部内にはマガジンが装備され、弾丸を装填したカートリッジをマガジンにセットするようにした構成が記載されている。
【特許文献１】特開２００４−２０５０５３号公報
【特許文献２】特開２００５−２６５３４８号公報
【発明の開示】
【発明が解決しようとする課題】
【０００６】
ところで、上記の２タイプのブローバック玩具銃には、夫々長所と短所が存在する。具体的に述べると、ケースレス仕様の玩具銃の場合、その長所は、マガジン内にＢＢ弾を収納するスペースが充分あるため、装弾数を増やすことが可能である。また、カートリッジを使用しないため、ランニングコストにすぐれ、気楽に遊べるという利点がある。短所としては、カートリッジが排莢しないため、本物らしさに欠け、スライドが単に前後動するだけであって、動作が単純であり、玩具銃としての魅力に乏しいという点を有する。
【０００７】
一方、カートリッジ仕様の場合、弾を発射した後、擬似カートリッジを排莢するため、実銃に近い使用感があり、そこにユーザーが魅力を感じるものである。その反面、設計においては、個々の弾丸をカートリッジに装填するため、スペース的な面からも制約され、マガジン１個あたりの装弾数が少なくなり、カートリッジにもコストを要するという不都合があった。
【０００８】
ところで、ユーザーの側から言えば、上記のカートリッジ仕様の利点と、ケースレス仕様の利点とを兼ね備えた玩具銃があれば望ましいが、従来からそのような玩具銃は存在しないため、ユーザーがカートリッジ仕様の玩具銃とケースレス仕様の玩具銃との双方を楽しみたい場合、夫々の玩具銃を購入せざるを得ないというのが実情であった。
【０００９】
本発明は、上記の事情に鑑みてなされたもので、１丁の玩具銃でカートリッジ仕様のマガジンとケースレス仕様のマガジンとを交換可能な構造とすることにより、１丁の玩具銃でカートリッジ仕様とケースレス仕様の双方を楽しむことができるブローバック玩具銃を提供することを目的とする。
【課題を解決するための手段】
【００１０】
上記の問題を解決するために、本発明における請求項１のブローバック玩具銃は、銃本体に設けられたスライドを前後動することによって薬室に送り込まれた弾丸を銃本体に装着されたマガジンのガス蓄圧室からシリンダのガス流入口を経て薬室に送給された圧縮ガスにより発射するブローバック玩具銃において、銃本体に設けられたマガジン室に着脱自在に装填するマガジンをカートリッジ仕様とケースレス仕様とに構成し、カートリッジ仕様のマガジンは弾丸をカートリッジに装填した状態で収納する弾倉を備え、ケースレス仕様のマガジンは弾丸をそのままの状態で収納する弾倉を備え、夫々のマガジンのガス蓄圧室に通じるガス流出口がシリンダのガス流入口に連通する同一の位置に設けられたことにより、いずれのマガジンを銃本体のマガジン室に装填した場合でも、各マガジンのガス蓄圧室に収容した圧縮ガスをガス流出口からシリンダのガス流入口を経て薬室へ送給可能としたことを特徴とする。
【００１１】
また、本発明における請求項２のブローバック玩具銃は、請求項１において、シリンダのガス通路先端部にノズルを着脱自在に取付けることによって、該ノズルの先端に当接させた弾丸を薬室に送り込むようにしたことを特徴とする。
【００１２】
また、本発明における請求項３のブローバック玩具銃は、請求項１又は２において、インナーバレルの後端外周に発射前の弾丸を保持するゴム管を接続したことを特徴とする。
【００１３】
さらに、本発明における請求項４のブローバック玩具銃は、請求項１、２又は３において、シリンダ及びシリンダのガス通路先端部に取付けるノズルは、ナイロン樹脂で形成したことを特徴とする。
【発明の効果】
【００１４】
本発明によるブローバック玩具銃によれば、カートリッジ仕様のマガジンとケースレス仕様のマガジンの双方において、夫々のマガジンのガス蓄圧室に通じるガス流出口がシリンダのガス流入口に連通する同一の位置に設けられているため、カートリッジ仕様のマガジンか又はケースレス仕様のマガジンのどちらかをユーザーが選択して、銃本体のマガジン室に着脱自在に装着することが可能となる。
【００１５】
従って、ユーザーは、１丁の玩具銃でカートリッジ仕様とケースレス仕様の双方を楽しむことが可能となり、カートリッジ仕様のマガジンを装着した場合、実銃に近い使用感を得ることができる。また、ケースレス仕様のマガジンを装着した場合、マガジン内にＢＢ弾を収納するスペースを十分確保することができるため、装弾数を増やすことが可能となり、安価且つ気楽に遊ぶことが可能となる。
【発明を実施するための最良の形態】
【００１６】
以下、本発明の実施例について図面を参照しながら説明する。
【実施例１】
【００１７】
本発明によるブローバック玩具銃は、図１に示すように、銃本体１に設けられたスライド２を前後動することによって薬室３に送り込まれた弾丸Ｂを銃本体１に装着されたマガジンのガス蓄圧室４からシリンダ５のガス流入口６を経て薬室３に送給された圧縮ガスにより発射するブローバック玩具銃において、銃本体１に設けられたマガジン室７に着脱自在に装填するマガジンをカートリッジ仕様とケースレス仕様とに構成し、カートリッジ仕様のマガジンＣＭは弾丸ＢをカートリッジＣに装填した状態で収納する弾倉８を備え、ケースレス仕様のマガジンＢＭは弾丸Ｂをそのままの状態で収納する弾倉８を備え、夫々のマガジンのガス蓄圧室４に通じるガス流出口９がシリンダ５のガス流入口６に連通する同一の位置に設けられたことにより、いずれのマガジンＣＭ、ＢＭを銃本体１のマガジン室７に装着した場合でも、各マガジンＣＭ、ＢＭのガス蓄圧室４に収容した圧縮ガスをガス流出口９からシリンダ５のガス流入口６を経て薬室３へ送給可能としたものである。
【００１８】
このようなブローバック玩具銃について詳細に述べると、図１に示すように銃本体１の把手部１０に設けられたマガジン室７に、図１（ｂ）に示すカートリッジ仕様のマガジンＣＭか、又は図１(ｃ)に示すケースレス仕様のマガジンＢＭかをユーザーが選択して、着脱自在に装着することが可能とされている。
【００１９】
これらのマガジンＣＭ又はＢＭのうち、図１(ｂ)に示すように、カートリッジ仕様のマガジンＣＭは、弾丸ＢをカートリッジＣに装填した状態で該カートリッジＣを弾倉８に収容するようにしたものである。このカートリッジ仕様のマガジンＣＭに設けられた弾倉８はマガジン本体１１の前側部に沿って高さ方向に設けられている。弾倉８の内部はフォロアスプリング１２ａで支持されたフォロア１２が弾性的に上方へ付勢された構成とされている。このような弾倉８にカートリッジＣを寝かした状態でフォロア１２の上部に順次収容し、その最上段のカートリッジＣを弾倉８の上端に設けられたキャッチ部８ａで係止することにより、弾倉８内に収納されたカートリッジＣの全部を保持することが可能とされている。
【００２０】
ここで、本実施例のカートリッジＣについて説明すると、図４（ａ）に示すように、通常「空薬莢」と呼ばれる円筒形状のカートリッジ本体１３の内部に前後を貫く貫通孔１３ａが形成され、その後端外周に周状の周底部１４が形成されている。また、貫通孔１３ａの先端付近の内周にゴム製のＯリング１５ａが固定され、このＯリング１５ａから後方に離間して弾性リング１５ｂが固着されている。このような構成により、例えば球形のプラスチック製弾丸（所謂「ＢＢ弾」）Ｂを貫通孔１３ａの先端側からＯリング１５ａの弾性に抗して押し入れることにより、Ｏリング１５ａと弾性リング１５ｂとの間に弾丸Ｂを保持することができる。
【００２１】
一方、図１(ｃ)に示すように、ケースレス仕様のマガジンＢＭに設けられた弾倉８は、弾丸Ｂをそのままの状態、即ち上記のカートリッジＣに装填せず、ケースレスの状態で収納するようにしたものである。その弾倉８はマガジン本体１１の前側部に沿って弾丸Ｂを高さ方向に一個ずつ積み上げて収容するスペースを有する。従って、ケースレス仕様のマガジンＢＭの弾倉８は、上記のカートリッジ仕様のマガジンＣＭの弾倉８と比べて小スペースに構成することができ、この弾倉８の余りのスペースを利用して、ガス蓄圧室４を広くとることが可能となる。
【００２２】
また、ケースレス仕様のマガジンＢＭにおいても、弾倉８の内部はフォロアスプリング１２ａで支持されたフォロア１２が弾性的に上方へ付勢され、フォロア１２の上部に弾丸Ｂを順次収容し、その最上段の弾丸Ｂを弾倉８の上端に設けられたキャッチ部８ａによって係止することにより、弾倉８内に収納された弾丸Ｂの全部を保持することが可能とされている。
【００２３】
以上、カートリッジ仕様のマガジンＣＭとケースレス仕様のマガジンＢＭとの構成について述べたが、その他の構成について、双方のマガジンにおいては略共通した構成を有する。即ち、双方のマガジンＣＭ、ＢＭにおいて、マガジン本体１１の内部の前後に弾倉８とガス蓄圧室４とが構成されている。ただし、上記のように、ケースレス仕様のマガジンＢＭの弾倉８が小スペースである分、ガス蓄圧室４を広くとることが可能である。
【００２４】
さらに、カートリッジ仕様のマガジンＣＭとケースレス仕様のマガジンＢＭにおいて共通する構成について説明すると、ガス蓄圧室４の下方開放側はマガジンベース２６によって閉塞され、マガジンベース２６に設けられたガス注入口２６ａから気化状の圧縮ガスをガス蓄圧室４内に注入することが可能とされている。
【００２５】
さらに、マガジン本体１１のガス蓄圧室４の上方には後側部に沿ってリンク室１７が設けられ、リンク室１７に沿ってその内側にガス放出路１６が設けられている。また、ガス蓄圧室４の上部に設けられた境壁にガス放出孔１８が形成され、このガス放出孔１８を開閉する放出バルブ１９の上端部がリンク室１７に回動自在に軸支されたバルブリンク２０に係止され、銃本体１に設けられたバルブハンマー２１の作動によってバルブリンク２０が回動し、これによって放出バルブ１９が下方に作動してガス放出孔１８が開放される。
【００２６】
また、放出バルブ１９はバルブスプリング２２を介して棒状のバルブベース２３に支持されると共に、バルブスプリング２２によって常時上方に付勢されることによってガス放出孔１８を閉ざしているが、バルブハンマー２１の作動によってバルブリンク２０が回動すると、放出バルブ１９を下方に作動してガス放出孔１８が開放される。また、ガス放出路１６の上端部にはガス流出口９が形成され、このガス流出口９にはノズルラバー９ａが設けられている。
【００２７】
このように、カートリッジ仕様のマガジンＣＭにおいても、ケースレス仕様のマガジンＢＭにおいても、ガス流入口６が同一の位置に形成されたことにより、図２（ａ）又は（ｂ）に示すように、いずれのマガジンＣＭ、ＢＭを銃本体１のマガジン室７に装着した場合でも、ガス流出口９がノズルラバー９ａを介して銃本体１に設けられたシリンダ５のガス流入口６に密着することにより気密性を保つことができ、各マガジンＣＭ、ＢＭのガス蓄圧室４に収容した圧縮ガスをガス流出口９からシリンダ５のガス流入口６を経て薬室３へ送給することが可能となる。
【００２８】
従って、上記の構成により、図２（ａ）又は（ｂ）に示すように、同一構成の銃本体１に設けられたマガジン室７にカートリッジ仕様のマガジンＣＭか、又はケースレス仕様のマガジンＢＭかを、ユーザーの選択によって装着することが可能となる。
【００２９】
なお、上記の構成において、図３（ａ）、(ｂ)、(ｃ)に示すように、シリンダ５内の前部には貫通状のガス通路２４が形成され、このガス通路２４の後端には開閉プラグ２５がプラグスプリング２５ａを介して設けられている。また、開閉プラグ２５とピストン２７とはピストンスプリング２７ａで連結されているが、通常はプラグスプリング２５ａの弾性力によってプラグ２５はガス通路２４を開放した状態としてあり、ガス蓄圧室４から送られてきた圧縮ガスによってプラグ２５が前方へ押圧されたときにガス通路２４が閉塞される。
【００３０】
ここで、本実施例における銃本体１のその他の構成について説明する。図２(ａ)又は(ｂ)に示すように、銃本体１の把手部１０には下方が解放されたマガジン室７が設けられ、マガジン室７の途中に設けられたマガジンキャッチ２８はマガジン本体１１の側部に設けられたキャッチ受け２９に係止されることにより、マガジン室７に差し込んだマガジンＣＭ又はＢＭを定位置で固定するストッパとして機能する。また、マガジンキャッチ２８を外方から押圧することによってそのストッパ機能を解除することができ、これによってマガジンＣＭ又はＢＭをマガジン室７から抜き取ることができる。
【００３１】
また、銃本体１の上方の銃身３０には細筒状のインナーバレル３１が固定され、このインナーバレル３１とその後方に設けられたシリンダ５との間には薬室３が設けられ、この薬室３に弾倉８から送られてきたカートリッジＣ又は弾丸Ｂを装填することができる。
【００３２】
図２（ａ）に示すように、マガジン室７にカートリッジ仕様のマガジンＣＭを装着した場合、薬室３にはカートリッジＣが装填されることとなる。この場合、図３(ａ)に示すように、ブローバック動作によってスライド２が後退すると、シリンダ５の前方に空間が生じ、弾倉８から上方に付勢されたカートリッジＣが薬室３の後方に押し上げられる。次いでスライド２が前進すると、シリンダ５がカートリッジＣの後端を前方へ押込むことにより、カートリッジＣはインナーバレル３１の後端とシリンダ５の前端とに挟まれた状態で発射前の待機状態となる。このとき、カートリッジＣの後端の周底部１４がシリンダ５の前側に設けられた包底面５ａに係合した状態となり、またカートリッジＣの前端はインナーバレル３１の後端に密接して、カートリッジＣの前後端の気密性を保つこととなる。
【００３３】
また、銃本体１のマガジン室７にカートリッジ仕様のマガジンＣＭを装着した場合における銃本体１の構成を述べると、図２（ａ）に示すように、トリガー３５を最後部まで引き切ることによって、トリガバー３５ａ（図１（ａ）参照）の作動によってシアー３６が回動し、シアー３６の爪部３６ａに係止されていたハンマー３７のシアー係止部３８が外され、ハンマースプリング３９の弾性力によってハンマー３７が図示の反時計方向へ回転すると、バルブハンマー２１が前方に移動し、これによってバルブリンク２０が回転することで放出バルブ１９が下方へ押される。これによって、ガス放出孔１８が開放状態になると、マガジンＣＭ又はＢＭのガス流出口９に連通するシリンダ５のガス流入口６を経て、開閉プラグ２５の後退によって解放されたガス通路２４を通過して薬室３に至り、カートリッジＣ内の弾丸Ｂを押圧して前方へ発射させることとなる。
【００３４】
ところで、上記と同一構成の銃本体１を使用して、マガジン室７にケースレス仕様のマガジンＢＭを装着した場合、薬室３に装填されるのはカートリッジＣのない弾丸Ｂであるため、弾丸Ｂの前後に空間ができてガス漏れを生じ、また弾丸Ｂを薬室３の定位置まで押込むことができなくなる。
【００３５】
そのため、本実施例では、図３（ｂ）に示すように、シリンダ５のガス通路２４の先端部にノズル３２を着脱自在に取付けることによって、該ノズル３２の先端に当接させた弾丸Ｂを薬室３に送り込むようにしている。
【００３６】
そのような構成を具体例に述べると、本実施例では、シリンダ５のガス通路２４の先端部内周に雌ネジ２４ａを形成し、この雌ネジ２４ａに螺合する雄ネジ３２ａをノズル３２の後端外周に形成することによって、ノズル３２の雄ネジ３２ａをシリンダ５のガス通路２４の雌ネジ２４ａに着脱自在に螺合する構成としている。なお、シリンダ５のガス通路２４の先端部内周にノズル３２を取付ける方法としては、上記のようにネジ構造ではなく、圧入等の手段によって着脱自在に固定することも可能である。
【００３７】
上記の構成により、ユーザーは、ケースレス仕様のマガジンＢＭを使用する場合、図３(ｂ)に示すように、ブローバック動作によってスライド２を後退させることにより、シリンダ５の前方に空間を作り、この空間を利用してノズル３２の雄ネジ３２ａをシリンダ５のガス通路２４の雌ネジ２４ａに手動で捩じ込んで取り付けることができる。また、その後、カートリッジ仕様のマガジンＣＭを使用する場合、ユーザーは上記と同様にスライド２を後退させることにより、シリンダ５の前方に空間を作り、この空間を利用して、手動でノズル３２を回転して取り外すことができる。
【００３８】
ところで、マガジン室７にカートリッジ仕様のマガジンＣＭを装着した場合、図４（ａ）に示すように、インナーバレル３１の後端に接続されたゴム管４０の後端にカートリッジＣの先端が密接する。ところが、上記のようにケースレス仕様のマガジンＢＭを使用する場合、図３（ｃ）に示すように、弾倉８から送られてきた弾丸Ｂをノズル３２に前進したとき、ノズル３２の前端が弾丸Ｂを薬室３の方向に押出すものであるが、この弾丸Ｂがインナーバレル３１の後端に密接するには至らない。
【００３９】
このため、本実施例では、図４（ｂ）に示すように、インナーバレル３１の後端外周に、発射前の弾丸Ｂを保持するためのゴム管３３を接続し、このゴム管３３の内部をホップラバー兼薬室として用いる。このゴム管３３は、下部を後方へ延長した形状３３ｂを有することよって、図４(ｃ)に示すように、シリンダ５のノズル３２で前方に押出された弾丸Ｂをゴム管３３の延長形状３３ｂで受け止めた状態にして薬室３に送り込むことが可能となる。なお、ゴム管３３の後端外周がテーパ形状に形成されることによって、シリンダ５のノズル３２をゴム管３３内に挿入可能とされている。
【００４０】
このゴム管３３の装着作業もまた、上記と同様にスライド２を後退させることにより、シリンダ５の前方に空間を作った状態にして、ユーザーが手動でゴム管３３を接続するものである。なお、このゴム管３３の接続作業は、困難であるように見えるが、ユーザーは弾丸Ｂに逆回転を掛けるホップラバーの調整作業を行う際にも、インナーバレル３１の分解等を余議なくされるものである。従って、ユーザーがインナーバレル３１の着脱作業を行なうことが可能であれば、予め、インナーバレル３１の後端に上記のゴム管３３を接続したものを用意しておき、元のインナーバレル３１と交換する等の作業によって容易に行うことが可能となる。
【００４１】
また、本実施例においては、上記の構成において、シリンダ５及びシリンダ５のガス通路２４の先端部に取付けるノズル３２は、従来から常用されている亜鉛ダイキャスト等を使用してもよいが、ナイロン樹脂で形成することにより、不正な改造等ができないようにして安全対策を図ることが可能となる。
【００４２】
なお、ノズル３２をナイロン樹脂で製作するのは、ナイロンは接着等が困難であり、またハンダゴテで溶着することも困難であるため、加工が困難であるという理由からである。また、インナーバレル３１の後端外周に接続するゴム管３３にはゴムのほかにＡＢＳ樹脂を使用することも可能であり、これらの材料は通常改造が困難なものであって、不正な改造を防止することが可能となる。
【００４３】
さらに、本実施例では、図４(ｂ)、(ｃ)に示すゴム管３２の代わりに、図５（ａ）〜(ｃ)に示す連結ゴム管３４を用いるようにしてもよい。この連結ゴム管３４は前後を貫く貫通孔３４ｂを有すると共に、連結ゴム管３４の途中下部には底部穴３４ａが形成され、この底部穴３４ａからケースレス仕様のマガジンＣＭの弾倉８の最上部の弾丸Ｂを連結ゴム管３４内に送り込むことが可能とされている。さらに、貫通孔３４ｂの前端を拡大径３４ｄとすることによってこの拡大径３４ｄの部分でインナーバレル３１の後端に接続し、さらに後端外周がテーパ形状３４ｃに形成されることによって、シリンダ５のノズル３２（図４(ｃ)参照）をゴム管３３内に挿入可能とされている。
【産業上の利用可能性】
【００４４】
本発明のエアーガンは、１丁の玩具銃でカートリッジ仕様のマガジンとケースレス仕様のマガジンとを交換可能な構造とすることにより、１丁の玩具銃でカートリッジ仕様とケースレス仕様の双方の利点を楽しむことができるようにしたブローバック玩具銃として利用可能である。
【図面の簡単な説明】
【００４５】
【図１】（ａ）は本発明に係るブローバック玩具銃の断面図であり、(ｂ)はカートリッジ仕様のマガジンの断面図であり、(ｃ)はケースレス仕様のマガジンの断面図である。
【図２】本発明に係るブローバック玩具銃の断面図であり、(ａ)はカートリッジ仕様のマガジンを装着した断面図であり、（ｂ）はケースレス仕様のマガジンを装着した断面図である。
【図３】(ａ)は本発明におけるカートリッジをインナーバレルとシリンダの間に装填した状態を示す断面図であり、（ｂ）は本発明のシリンダにノズルを取付けている状況を示す断面図であり、（ｃ）は本発明のシリンダにノズルを取付けた状況を示す断面図である。
【図４】(ａ)は本発明におけるカートリッジをインナーバレルの後端に接合した状態を示す断面図であり、（ｂ）は本発明のインナーバレルの後端にゴム管を接続した状態を示す断面図であり、(ｃ)は本発明におけるシリンダのノズルによって弾丸をインナーバレルの後端に接続したゴム管の内部に押し入れている状況を示す断面図である。
【図５】(ａ)は本発明における連結ゴム管の斜視図であり、（ｂ）は本発明における連結ゴム管の断面図であり、（ｃ）は本発明の連結ゴム管をインナーバレルの後端に接続した状態示す断面図である。
【符号の説明】
【００４６】
Ｂ  弾丸
Ｃ  カートリッジ
ＣＭ  カートリッジ仕様のマガジン
ＢＭ  ケースレス仕様のマガジン
１  銃本体
２  スライド
３  薬室
４  ガス蓄圧室
５  シリンダ
５ａ  包底面
６  ガス流入口
７  マガジン室
８  弾倉
８ａ  キャッチ部
９  ガス流出口
９ａ  ノズルラバー
１０  把手部
１１  マガジン本体
１２  フォロア
１２ａ  フォロアスプリング
１３  カートリッジ本体
１３ａ  貫通孔
１４  周底部
１５ａ  Ｏリング
１５ｂ  弾性リング
１６  ガス放出路
１７  リンク室
１８  ガス放出孔
１９  放出バルブ
２０  バルブリンク
２１  バルブハンマー
２２  バルブスプリング
２３  バルブベース
２４  ガス通路
２４ａ  雌ネジ
２５  開閉プラグ
２５ａ  プラグスプリング
２６  マガジンベース
２６ａ  ガス注入口
２７  ピストン
２７ａ  ピストンスプリング
２８  マガジンキャッチ
２９  キャッチ受け
３０  銃身
３１  インナーバレル
３２  ノズル
３２ａ  雄ネジ
３３  ゴム管
３４  連結ゴム管
３４ａ  底部穴
３４ｂ  貫通孔
３４ｃ  テーパ形状
３４ｄ  拡大径
３５  トリガー
３５ａ  トリガバー
３６  シアー
３６ａ  爪部
３７  ハンマー
３８  シアー係止部
３９  ハンマースプリング
４０  ゴム管
【図１】
2010133654.tif 000003
【図２】
2010133654.tif 000004
【図３】
2010133654.tif 000005
【図４】
2010133654.tif 000006
【図５】
2010133654.tif 000007
【手続補正書】
【提出日】平成21年5月22日(2009.5.22)
【手続補正１】
【補正対象書類名】特許請求の範囲
【補正対象項目名】全文
【補正方法】変更
【補正の内容】
【特許請求の範囲】
【請求項１】
銃本体の銃身に固定されたインナーバレルと、インナーバレルの後方にて前後動するシリンダとの間に薬室が設けられ、
銃本体の把手部に設けられた下方が開放されてなるマガジン室にカートリッジ仕様のマガジン又はケースレス仕様のマガジンを着脱自在に装着することが可能であり、
カートリッジ仕様のマガジンとケースレス仕様のマガジンの双方のマガジンが共通に有する構造として、
マガジン本体の内部の前後に弾倉とガス蓄圧室とが設けられ、ガス蓄圧室の上方にはマガジン本体の後側部に沿ってリンク室が設けられると共に、リンク室に沿ってマガジン本体の内側にガス放出路が設けられ、ガス蓄圧室の上部の境壁に設けられたガス放出孔を開閉する放出バルブの上端部がリンク室に回動自在に軸支されたバルブリンクに係止され、銃本体に設けられたトリガーの操作に連動するバルブハンマーの作動でバルブリンクが回動することによって放出バルブが作動してガス放出孔が開放されるブローバック玩具銃において、
カートリッジ仕様のマガジンの場合、カートリッジを寝かした状態で弾倉の高さ方向に順次収容する構造を有し、ケースレス仕様のマガジンの場合、弾丸をケースレスの状態で弾倉の高さ方向に一個ずつ積み上げて収容する構造を有し、
いずれの仕様のマガジンにおいても弾倉内にはカートリッジ又は弾丸を弾性的に上方へ付勢するフォロアが設けられ、
いずれの仕様のマガジンにおいてもガス放出路の上端部に設けられたガス流出口が同一の位置に形成されたことによって、いずれの仕様のマガジンをマガジン室に装着した場合でも、マガジン本体のガス流出口がシリンダ内のガス通路に連通するガス流入口に連通し、ガス蓄圧室に収容した圧縮ガスをマガジン本体のガス流出口からシリンダのガス流入口を経て薬室へ送給することが可能であり、
カートリッジ仕様のマガジンの場合、ブローバック動作によりスライドが後退することによって開放されたシリンダの前方の薬室に弾倉から上方へ付勢されたカートリッジがインナーバレルの後端とシリンダの前端とに挟まれた状態となって発射前の待機状態とされ、
ケースレス仕様のマガジンの場合、ブローバック動作によってスライドを後退させることにより、シリンダの前方に空間をつくり、この空間を利用してシリンダのガス通路先端部にノズルを着脱自在に取付ける一方、インナーバレルの後端外周に発射前の弾丸を保持するゴム管を接続し、シリンダのノズルで前方に押出された弾丸をゴム管で受け止め、発射前の待機状態としたことを特徴とするブローバック玩具銃。
【手続補正２】
【補正対象書類名】明細書
【補正対象項目名】００１０
【補正方法】変更
【補正の内容】
【００１０】
上記の目的を達成するために、本発明における請求項１のブローバック玩具銃は、銃本体の銃身に固定されたインナーバレルと、インナーバレルの後方にて前後動するシリンダとの間に薬室が設けられ、銃本体の把手部に設けられた下方が開放されてなるマガジン室にカートリッジ仕様のマガジン又はケースレス仕様のマガジンを着脱自在に装着することが可能であり、カートリッジ仕様のマガジンとケースレス仕様のマガジンの双方のマガジンが共通に有する構造として、マガジン本体の内部の前後に弾倉とガス蓄圧室とが設けられ、ガス蓄圧室の上方にはマガジン本体の後側部に沿ってリンク室が設けられると共に、リンク室に沿ってマガジン本体の内側にガス放出路が設けられ、ガス蓄圧室の上部の境壁に設けられたガス放出孔を開閉する放出バルブの上端部がリンク室に回動自在に軸支されたバルブリンクに係止され、銃本体に設けられたトリガーの操作に連動するバルブハンマーの作動でバルブリンクが回動することによって放出バルブが作動してガス放出孔が開放されるブローバック玩具銃において、カートリッジ仕様のマガジンの場合、カートリッジを寝かした状態で弾倉の高さ方向に順次収容する構造を有し、ケースレス仕様のマガジンの場合、弾丸をケースレスの状態で弾倉の高さ方向に一個ずつ積み上げて収容する構造を有し、いずれの仕様のマガジンにおいても弾倉内にはカートリッジ又は弾丸を弾性的に上方へ付勢するフォロアが設けられ、いずれの仕様のマガジンにおいてもガス放出路の上端部に設けられたガス流出口が同一の位置に形成されたことによって、いずれの仕様のマガジンをマガジン室に装着した場合でも、マガジン本体のガス流出口がシリンダ内のガス通路に連通するガス流入口に連通し、ガス蓄圧室に収容した圧縮ガスをマガジン本体のガス流出口からシリンダのガス流入口を経て薬室へ送給することが可能であり、カートリッジ仕様のマガジンの場合、ブローバック動作によりスライドが後退することによって開放されたシリンダの前方の薬室に弾倉から上方へ付勢されたカートリッジがインナーバレルの後端とシリンダの前端とに挟まれた状態となって発射前の待機状態とされ、ケースレス仕様のマガジンの場合、ブローバック動作によってスライドを後退させることにより、シリンダの前方に空間をつくり、この空間を利用してシリンダのガス通路先端部にノズルを着脱自在に取付ける一方、インナーバレルの後端外周に発射前の弾丸を保持するゴム管を接続し、シリンダのノズルで前方に押出された弾丸をゴム管で受け止め、発射前の待機状態としたことを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００２７
【補正方法】変更
【補正の内容】
【００２７】
このように、カートリッジ仕様のマガジンＣＭにおいても、ケースレス仕様のマガジンＢＭにおいても、ガス流出口９が同一の位置に形成されたことにより、図２（ａ）又は（ｂ）に示すように、いずれのマガジンＣＭ、ＢＭを銃本体１のマガジン室７に装着した場合でも、ガス流出口９がノズルラバー９ａを介して銃本体１に設けられたシリンダ５のガス流入口６に密着することにより気密性を保つことができ、各マガジンＣＭ、ＢＭのガス蓄圧室４に収容した圧縮ガスをガス流出口９からシリンダ５のガス流入口６を経て薬室３へ送給することが可能となる。